(57)【要約】【課題】串、フォーク、スプーンなどの食器を容器に保持するのに別途の部材を用いたとしても、該部材には極めて安価な部材を用いることで、容器の製造コストの上昇を抑えること。また、食器を容器に保持する場合に、簡単にできるようにすること。【解決手段】容器本体１の上部に窓状で四角形状の開口部４を形成する。この開口部４を閉塞する形でシート１０を貼着する。シート１０には容器本体１の周方向であって、２条のスリット１１が形成されている。串５の先端部を容器本体１の内側から上のスリット１１に挿通し、更に下のスリット１１に挿通して先端部を内側に押す。これにより、串５を両スリット１１にて容器本体１に保持させることができる。上下のスリット１１間を保持片１３とし、この保持片１３の復帰力により串５が保持され、串５を任意の角度で傾斜させたり、串５を上下方向の任意の位置で保持させることができる。【選択図】図１０
2013220843.tif 000002
【特許請求の範囲】
【請求項１】
材料を紙製若しくは樹脂製としたコップ状の容器本体（１）の中に入っている食品を串、フォーク、スプーンなどの食器を使って食する食品用の容器であって、
前記容器本体（１）の側面に開口部（４）を形成し、
前記開口部（４）を閉塞する形でシート（１０）を貼着し、
前記シート（１０）には前記容器本体（１）の周方向であって上下に２条のスリット（１１）を形成し、
前記容器本体（１）に貼着した前記シート（１０）の上下のスリット（１１）（１１）に該容器本体（１）の上部の内側から前記串、フォーク、スプーンなどの食器の先端部分を内部へ挿通させて該食器を容器本体（１）に引き抜き自在に保持可能としていることを特徴とする食品用の容器。
【請求項２】
前記シート（１０）に形成したスリット（１１）の周方向の寸法は、該スリット（１１）に挿通させる串、フォーク、スプーンなどの食器の数に応じて設定していることを特徴とする請求項１に記載の食品用の容器。
【請求項３】
前記容器本体（１）の材料と紙材とした場合、該紙材の表面はラミネートフィルム素材にてコーティングされており、
前記容器本体（１）に形成した開口部（４）の内縁（１５）に前記ラミネートフィルム素材を塗布して塗布面（１６）を形成していることを特徴とする請求項１に記載の食品用の容器。
【請求項４】
前記開口部（４）の内縁（１５）から容器本体（１）の表面の周縁部まで前記ラミネートフィルム素材を塗布していることを特徴とする請求項３に記載の食品用の容器。
【請求項５】
前記容器本体（１）の外面に絵図（２１）を描くと共に、該絵図（２１）を貫通している串（５）の先端部分の串図（２２）を描いていることを特徴とする請求項１〜請求項４のいずれかに記載の食品用の容器。
【請求項６】
前記シート（１０）のスリット（１１）の両端に、該スリット（１１）の幅より大きく該スリット（１１）と連通している穴（１２）を穿孔していることを特徴とする請求項１に記載の串刺し用食品の容器。
【請求項７】
前記シート（１０）を紙材とした場合、該シート（１０）の表裏面、前記スリット（１１）及び前記穴（１２）の内縁にラミネートフィルム素材を塗布するようにしていることを特徴とする請求項１に記載の食品用の容器。
【発明の詳細な説明】
【技術分野】
【０００１】
本発明は、鶏肉、豚肉、牛肉などの唐揚げ物、団子、田楽、ミニドーナツなどの食品をコップ状の容器に入れて、これらの食品を串、フォーク、スプーンなどの食器を使って食するための食品用の容器に関するものである。
【背景技術】
【０００２】
従来より、焼き鳥、つくね、団子などの串刺し食品を容器に入れて、これらの串刺し食品を入れる容器の従来例として、例えば、下記に示す特許文献１、２が挙げられる。
【先行技術文献】
【特許文献】
【０００３】
【特許文献１】実公平３−３１７４５号公報
【特許文献２】特開２０００−３３９４８号公報
【０００４】
上記特許文献１は、コップ状の容器の底部に串の先端部を刺して串を固定するための固定部材を設け、また、容器の上部の内側に中央部に開口部を有するリング状部材を配設したものである。また、このリング状部材には上記開口部と連通する串の基部を嵌入固定するとともに、出し入れ自在とした嵌入口を設けている。
そして、串刺し食品を串に刺した状態で、前記リング状部材の開口部を介して容器内に入れ、串の先端部を前記固定部材に差し込むと共に、串の基部を前記嵌入口に保持させている。
【０００５】
また、上記特許文献２は、つくね、焼き鳥、団子等の塊状の食品を縦方向に３〜４個程度を収容することができる高さを有する筒状容器若しくは箱状容器とし、該容器内に前記塊状の食品を上から容易に収容及び取り出すことができる開口面を有する仕切り若しくは仕切り筒を係着し、複数の仕切り区分を構成している。
また、各仕切り区分内には前記塊状の食品を串に刺さないばらの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００６】
しかしながら、上記特許文献１においては、串刺し食品を装着した状態で容器内に固定するようにしたものであり、本発明とは技術思想を異にしている。また、串を固定するのに、容器の底部に固定部材を設けると共に、串の基部を固定するためのリング状部材を設けており、そのため、容器の他に固定部材及びリング状部材の２つの部材を別途必要とするという問題がある。
【０００７】
また、前記リング状部材の形状も複雑となり、しかも、容器内に固定部材を設ける工程と、リング状部材を配設する工程とが必要となり、結果として容器の製造コストが非常に高くなるという問題を有している。
【０００８】
また、上記特許文献２では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器を置いて両方の手で収納袋を破いて収納袋から串を取り出して、やっと串刺し食品を食べることができる。
【０００９】
そのため、この特許文献２においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要があり、そのため、歩きながら串を取り出して串刺し食品を食べることが非常に困難であるという問題を有している。
更には、串を入れるための収納袋を必要とし、その分製造コストが高くなるという問題もある。
【００１０】
一方、別部材を用いずに串を容器に単に置くようにした場合や、容器に切り込み線を入れて串を該切り込み線内に入れて該串を挟み込むようにしたものとして、例えば、下記に示す特許文献３、４が挙げられる。
【００１１】
【特許文献３】特開２００３−７９５０３号公報
【特許文献４】特開２００２−１６０７２４号公報
【００１２】
上記特許文献３は、容器の本体の上縁部に複数の切り欠き部を設け、食材を食べた串を、２つの切り欠き部にわたって置くことで、串を容器に置くことができるようにしている。
【００１３】
また、上記特許文献４では、容器本体や蓋体に１本の切り込み線を設け、この切り込み線に串を押し込むことで、串を切り込み線内に挟み込むようにしたものである。
【００１４】
しかしながら、上記特許文献３においては、切り欠き部にて串を単に置くことが可能であるにすぎず、串を切り欠き部にて動かないように保持することができない。そのため、容器を持った場合などで、容器を傾けたり、逆さにした場合には、串が切り欠き部から脱落してしまうという問題を有している。
【００１５】
また、上記特許文献４においては、単なる１条の切り込み線のため、切り込み線に串を差し込んだ場合では、串の差し込み方向に関係なく一義的に決まってしまい、任意の上下方向の位置や任意に傾斜させた状態で串を保持することができないという問題を有している。
【００１６】
本発明は上述の問題点に鑑みて提供したものであって、少なくとも以下の目的を持った食品用の容器を提供するものである。
（１）串、フォーク、スプーンなどの食器を容器に保持するのに別途の部材を用いたとしても、該部材には極めて安価な部材を用いることで、容器の製造コストの上昇を抑えること。
（２）串、フォーク、スプーンなどの食器を容器に保持する場合に、簡単にできるようにすること。
（３）串、フォーク、スプーンなどの食器を容器に対して任意の上下方向の位置や任意に傾斜させた状態で串を保持することができること。
（４）串、フォーク、スプーンなどの食器を容器から取り出す場合に、すぐに取り出すことができ、しかも、一方の手で容器を持ち、他方の手だけで串を取り出すことができること。
（５）串、フォーク、スプーンなどの食器の先端部分は容器内に収納して衛生的に向上させること。
（６）容器の材料のベースが紙材である場合には、紙材を露出させずに食材が紙材に直接接触しないようにして、衛生上、安心、安全性を持たせること。
（７）意匠的効果を付与して利用者に面白みを与えること。
【課題を解決するための手段】
【００１７】
請求項１に記載の食品用の容器では、材料を紙製若しくは樹脂製としたコップ状の容器本体１の中に入っている食品を串、フォーク、スプーンなどの食器を使って食する食品用の容器であって、
前記容器本体１の側面に開口部４を形成し、
前記開口部４を閉塞する形でシート１０を貼着し、
前記シート１０には前記容器本体１の周方向であって上下に２条のスリット１１を形成し、
前記容器本体１に貼着した前記シート１０の上下のスリット１１、１１に該容器本体１の上部の内側から前記串、フォーク、スプーンなどの食器の先端部分を内部へ挿通させて該食器を容器本体１に引き抜き自在に保持可能としていることを特徴としている。
【００１８】
請求項２に記載の食品用の容器では、前記シート１０に形成したスリット１１の周方向の寸法は、該スリット１１に挿通させる串、フォーク、スプーンなどの食器の数に応じて設定していることを特徴としている。
【００１９】
請求項３に記載の食品用の容器では、前記容器本体１の材料と紙材とした場合、該紙材の表面はラミネートフィルム素材にてコーティングされており、
前記容器本体１に形成した開口部４の内縁１５に前記ラミネートフィルム素材を塗布して塗布面１６を形成していることを特徴としている。
【００２０】
請求項４に記載の食品用の容器では、前記開口部４の内縁１５から容器本体１の表面の周縁部まで前記ラミネートフィルム素材を塗布していることを特徴としている。
【００２１】
請求項５に記載の食品用の容器では、前記容器本体１の外面に絵図２１を描くと共に、該絵図２１を貫通している串５の先端部分の串図２２を描いていることを特徴としている。
【００２２】
請求項６に記載の食品用の容器では、前記シート１０のスリット１１の両端に、該スリット１１の幅より大きく該スリット１１と連通している穴１２を穿孔していることを特徴としている。
【００２３】
請求項７に記載の食品用の容器では、前記シート１０を紙材とした場合、該シート１０の表裏面、前記スリット１１及び前記穴１２の内縁にラミネートフィルム素材を塗布するようにしていることを特徴としている。
【発明の効果】
【００２４】
請求項１に記載の食品用の容器によれば、容器本体１の側面に開口部４を形成し、前記開口部４を閉塞する形でシート１０を貼着し、前記シート１０には前記容器本体１の周方向であって上下に２条のスリット１１を形成し、前記容器本体１に貼着した前記シート１０の上下のスリット１１、１１に該容器本体１の上部の内側から前記串、フォーク、スプーンなどの食器の先端部分を内部へ挿通させて該食器を容器本体１に引き抜き自在に保持可能としているものであり、串、フォーク、スプーンなどの食器の中で、例えば串５の場合では、串５の尖っている先端を容器本体１の内側に位置させて、串５の先端部を容器本体１の内側から上のスリット１１に差し込む。次に、串５の先端部が上側のスリット１１より外側に位置しているので、該串５の先端部を支点として串５を外側に傾けると、上下のスリット１１間を保持片１３として該保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
また、上下のスリット１１の間の保持片１３は元に戻ろうとする復帰力が働くことで、保持片１３の外面にて串５が外方向に付勢される。そのため、串５は容器本体１に貼着したシート１０の内面と保持片１３の外面とで保持され、串５は容器本体１の内面にほぼ接触する形で位置することになる。
また、保持片１３の外側への付勢力（復帰力）により串５が下方へ串５の自重による滑り落ちを防止することができる。そのため、串５は上下方向の任意の位置で容器本体１に保持でき、また、串５を少し傾けてもその状態を維持させることができる。更には、串５を容器本体１に保持した状態で、特許文献３、４とは異なり、容器本体１を傾けたり、逆さにしても串５は容器本体１から落下することはない。
このように、上下に２条のスリット１１を形成したシート１０を容器本体１に単に貼着するだけで該スリット１１に串５を引き抜き自在に保持させることができる。ここで、容器本体１自体の他にシート１０を別部材として用いているが、シート１０自体は極めて安価であり、少し複雑で、安価とは言えない別途の部材を用いている特許文献１、２とは異なり、安価な部材（シート１０）にて串５を容器本体１に保持させることができる。
しかも、串５を任意の角度で傾斜させた状態や、上下方向の任意の位置で保持させることができる。また、串５をスリット１１間にて保持させた状態で容器本体１を傾けたり、逆さにしても串５が容器本体１から脱落することもない。
更には、串５を保持させるのに安価な部材であるシート１０に、単に２条のスリット１１を形成しているだけなので、製造コストの上昇を抑えることができる。また、串５を容器本体１に保持させた状態では、串５の先端部が容器本体１内に位置しているので、販売者の手が串５の先端部に触れるのを防止でき、衛生的に向上させることができる。
また、串５を使って容器本体１内の食品を食べる場合、従来例とは異なり、容器本体１を一旦どこかに置いておく必要がなく、一方の手で容器本体１を持ち、他方の手で串５の基部を持って上方へ引き抜くだけで、串５を簡単に容器本体１から引き抜くことができる。そして、串５の先端部を容器本体１内の食品に刺して食べるものであり、串５を使うため、指を汚すことなく食品を食べることができる。
【００２５】
請求項２に記載の食品用の容器によれば、前記シート１０に形成したスリット１１の周方向の寸法は、該スリット１１に挿通させる串、フォーク、スプーンなどの食器の数に応じて設定していることで、複数本の串、フォーク、スプーンなどの食器を容器本体１に容易に保持させることができる。
【００２６】
請求項３に記載の食品用の容器によれば、前記容器本体１の材料と紙材とした場合、該紙材の表面はラミネートフィルム素材にてコーティングされており、前記容器本体１に形成した開口部４の内縁１５に前記ラミネートフィルム素材を塗布して塗布面１６を形成しているので、開口部４の内縁１５に材料である紙材が露出するのを防止することができる。そのため、串、フォーク、スプーンなどの食器をスリット１１に挿通させても容器本体１の材料である紙に串、フォーク、スプーンなどの食器の表面が接触するのを防止することができる。これにより、衛生上、安心、安全性を持たせることができる。
【００２７】
請求項４に記載の食品用の容器によれば、前記開口部４の内縁１５から容器本体１の表面の周縁部まで前記ラミネートフィルム素材を塗布していることで、開口部４の内縁１５の角部まで確実にラミネートフィルム素材をコーティングすることができ、紙材が露出するのを一層確実に防止することができる。これにより、衛生上、安心、安全性を持たせることができる。
【００２８】
請求項５に記載の食品用の容器によれば、前記容器本体１の外面に絵図２１を描くと共に、該絵図２１を貫通している串５の先端部分の串図２２を描いていることで、一見すると串５がハート型の絵図２１を貫通してように見えて、利用者に面白みやインパクトを与えることができる。
【００２９】
請求項６に記載の串刺し用食品の容器によれば、シート１０のスリット１１の両端に、該スリット１１の幅より大きく該スリット１１と連通している穴１２を穿孔しているので、穴１２の部分で保持片１３を内側に動かしても力が吸収され、スリット１１の縁部から紙材が破れるのを防止することができる。
【００３０】
請求項７に記載の食品用の容器によれば、前記シート１０を紙材とした場合、該シート１０の表裏面、前記スリット１１及び前記穴１２の内縁にラミネートフィルム素材を塗布するようにしているので、開口部４の内縁１５の角部まで確実に樹脂をコーティングすることができ、紙材が露出するのを一層確実に防止することができる。これにより、衛生上、安心、安全性を持たせることができる。
【図面の簡単な説明】
【００３１】
【図１】本発明の実施の形態における容器本体の正面図である。
【図２】本発明の実施の形態における容器本体の平面図である。
【図３】本発明の実施の形態におけるシートの平面図である。
【図４】本発明の実施の形態における容器本体の正面図である。
【図５】本発明の実施の形態における容器本体の側面図である。
【図６】本発明の実施の形態における容器本体の平面図である。
【図７】本発明の実施の形態における容器本体の底面図である。
【図８】本発明の実施の形態における容器本体の背面図である。
【図９】本発明の実施の形態に用いる串の一例を示す図である。
【図１０】本発明の実施の形態における串を容器本体に保持した状態を示す図である。
【図１１】本発明の実施の形態における串を容器本体に保持した状態を示す図である。
【図１２】本発明の実施の形態におけるスリット部分の拡大図である。
【図１３】本発明の実施の形態における横方向の寸法を長くしたスリット部分の拡大図である。
【図１４】本発明の実施の形態における２本の串を容器本体に保持した状態を示す図である。
【図１５】本発明の実施の形態における容器本体の開口部の内縁に樹脂をコーティングした状態を示す説明図である。
【図１６】本発明の実施の形態における容器本体の開口部の周縁部まで樹脂をコーティングした状態を示す説明図である。
【図１７】本発明の実施の形態における容器本体の側面に絵図を書いた場合の正面図である。
【図１８】本発明の実施の形態における容器本体に串を保持させた状態を示す図である。
【図１９】本発明の実施の形態における容器本体の側面に絵図を書いた場合の正面図である。
【図２０】本発明の実施の形態における容器本体に２本の串を保持させた状態を示す図である。
【図２１】本発明の実施の形態におけるスリットを周方向に形成した場合の容器本体の正面図である。
【図２２】（ａ）（ｂ）は本発明の実施の形態におけるスリットの横方向の位置をずらせた場合のシートの平面図である。
【発明を実施するための形態】
【００３２】
以下、本発明の実施の形態を図面を参照して詳細に説明する。図１は容器本体１の正面図を、図２は容器本体１の平面図をそれぞれ示しており、また、図３は後述するシート１０の平面図を示している。
【００３３】
容器本体１は、紙製や樹脂製のコップであり、底面は閉塞され上部は開口されていて、一般に市販されている容器である。容器本体１の大きさは特に限定されないが、片手で持ちやすい大きさである。容器本体１の形状は、図示の略円筒状のものに限らず、四角筒状や多角筒状でも良く、容器本体１の形状としては、コップとして利用可能な形状であれば良い。
この容器本体１は、円形の底板２と、筒状部３とで構成されており、容器本体１の筒状部３の上部には窓状で四角形状の開口部４が形成されている。この開口部４を閉塞する形で上記シート１０が貼り付けられる。
【００３４】
図３に示すように、シート１０には横方向に少しの間隔をあけてスリット１１が２条形成されている。このシート１０の素材としては、紙製、樹脂フィルム、厚手の樹脂等で構成される。
【００３５】
図４は、上記シート１０を容器本体１の開口部４を閉塞する形で貼り付けた状態の容器本体１の正面図を示している。図５は容器本体１の側面図を、図６は容器本体１の平面図を、図７は容器本体１の底面図を、図８は容器本体１の背面図をそれぞれ示している。
【００３６】
シート１０の上下の２条のスリット１１が容器本体１の開口部４に位置するように該シート１０を容器本体１の筒状部３の外面に貼着する。シート１０を容器本体１に貼着する手段としては、接着剤を用いたり、溶着したり、加圧等の任意の手段を用いることができる。図４及び図５の斜線部分が容器本体１の外面と、シート１０の内面との接着部分を示している。
【００３７】
なお、シート１０は、容器本体１の外面に貼着したり、あるいは容器本体１の内面に貼着するようにしても良い。また、シート１０を容器本体１の外面と内面の両方から貼着するようにしても良いが、製造工程やコストの関係からは、１枚のシート１０を容器本体１の外面あるいは内面に貼着するのが好適例である。
【００３８】
図４及び図５に示すように、シート１０を容器本体１に貼着した場合、上下の２条のスリット１１は、筒状部３の周方向に形成された形となり、この上下のスリット１１に後述するように串を差し込んで、串を容器本体１に引き抜き自在に保持可能としたものである。
また、各スリット１１の両端には、該スリット１１と連通し、スリット１１よりも大きい穴１２をそれぞれ穿孔している。この穴１２をシート１０が破れるのを防止する破れ防止部としている。
【００３９】
図９は串５を示しており、材料としては、竹串、木串であり、串５の長さは容器本体１の縦方向の寸法より大きいものを用いるようにしている。図１０は容器本体１に串５を保持した状態を示している。
【００４０】
串５を容器本体１に保持させる手法は以下の通りである。すなわち、串５の尖っている先端を容器本体１の内側に位置させて、串５の先端部を容器本体１の内側から上のスリット１１に差し込む。ここで、上下のスリット１１の間に位置する部分を保持片１３とする。
【００４１】
次に、串５の先端部が上側のスリット１１より外側に位置しているので、該串５の先端部を支点として串５を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【００４２】
図１０及び図１１は串５を容器本体１に保持した状態を示し、上下のスリット１１の間の保持片１３は元に戻ろうとする復帰力が働くことで、保持片１３の外面にて串５が外方向に付勢される。そのため、串５は容器本体１に貼着したシート１０の内面と保持片１３の外面とで保持され、図１１に示すように、串５は容器本体１の内面にほぼ接触する形で位置することになる。
【００４３】
また、保持片１３の外側への付勢力（復帰力）により串５が下方へ串５の自重による滑り落ちを防止することができる。そのため、串５は上下方向の任意の位置で容器本体１に保持でき、また、串５を図１０に示すように少し傾けてもその状態を維持させることができる。更には、串５を容器本体１に保持した状態で、特許文献３、４とは異なり、容器本体１を傾けたり、逆さにしても串５は容器本体１から落下することはない。
【００４４】
このように本実施形態では、上下に２条のスリット１１を形成したシート１０を容器本体１に単に貼着するだけで該スリット１１に串５を引き抜き自在に保持させることができる。ここで、容器本体１自体の他にシート１０を別部材として用いているが、シート１０自体は極めて安価であり、少し複雑で、安価とは言えない別途の部材を用いている特許文献１、２とは異なり、安価な部材（シート１０）にて串５を容器本体１に保持させることができる。
しかも、串５を任意の角度で傾斜させた状態や、上下方向の任意の位置で保持させることができる。また、串５をスリット１１間にて保持させた状態で容器本体１を傾けたり、逆さにしても串５が容器本体１から脱落することもない。
【００４５】
更には、串５を保持させるのに安価な部材であるシート１０に、単に２条のスリット１１を形成しているだけなので、製造コストの上昇を抑えることができる。また、串５を容器本体１に保持させた状態では、串５の先端部が容器本体１内に位置しているので、販売者の手が串５の先端部に触れるのを防止でき、衛生的に向上させることができる。
【００４６】
図１２はシート１０の拡大平面図を示し、上述したようにスリット１１の両端には該スリット１１と連通し、スリット１１の幅よりも大きい穴１２を穿孔している。シート１０の材料が紙製や薄い樹脂フィルムの場合で、穴１２を形成せずに、スリット１１のみとした場合は、串５の先端部で保持片１３を内側に動かした際に、スリット１１の縁部からシート１０が破れる恐れがある。
しかし、スリット１１の両端に穴１２を形成していることで、穴１２の部分で保持片１３を内側に動かしても力が吸収され、スリット１１の縁部からシート１０が破れるのを防止することができる。
【００４７】
なお、容器本体１内に入れる串刺し食品としては、例えば、団子、から揚げ、ミニドーナツ、おでん、田楽、酒のつまみ等であり、これらの串刺し食品を容器本体１内に入れる場合、串５は図１１に示すように、容器本体１の内面に沿って保持されているので、串５が邪魔になることはない。そのため、容器本体１へ串刺し食品を入れる作業の効率化を図ることができる。また、容器本体１内に食材を入れずに串５を容器本体１に保持した状態で、容器本体１を重ね合わせることができる。
【００４８】
串５を使って容器本体１内の食品を食べる場合、従来例とは異なり、容器本体１を一旦どこかに置いておく必要がなく、一方の手で容器本体１を持ち、他方の手で串５の基部を持って上方へ引き抜くだけで、串５を簡単に容器本体１から引き抜くことができる。そして、串５の先端部を容器本体１内の食品に刺して食べるものであり、串５を使うため、指を汚すことなく食品を食べることができる。
【００４９】
また、食べている途中で串５をおきたい場合、つまり、串５を再度容器本体１に保持する場合でもスリット１１を挿通させるだけで、容易に容器本体１に串５を再度保持させることができる。
【００５０】
なお、先の実施形態では、容器本体１の側面に１つの開口部４を形成し、この開口部４にシート１０を貼着していたが、容器本体１の両側に開口部４をそれぞれ形成し、各開口部４にシート１０をそれぞれ貼着させるようにしても良い。この場合、容器本体１の両側にもそれぞれ串５を保持させることができ、カップルがそれぞれの串５を使い分けることもできる。
【００５１】
また、串５を容器本体１に保持した状態では、口にする串５の先端部は容器本体１内に位置していることで、販売者の手が串５の先端部に触れるのを防止でき、衛生的にも向上させることができる。
なお、容器本体１を製造する場合、流れるラインにおいて予め開口部４を例えば、トムソン加工等で筒状部３にあけておくことで、従来の製造方法で本発明の容器本体１を容易に製造することができ、容器本体１の製造コストの上昇を抑えることができる。
【００５２】
ところで、スリット１１の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２本は保持可能である。
【００５３】
また、図１３はスリット１１の横方向の寸法を図１２の場合よりも長くした場合であり、串５を２本あるいは３本保持できるようにしたものである。もちろん１本の串５も保持できることは言うまでもない。図１４は、上記と同様の手法で２本の串５を容器本体１に保持した状態を示している。
このように、保持させる串５の本数によりスリット１１の長さを適宜設定することができる。
【００５４】
ところで、一般に市販されている紙コップは、ベースの材料が紙材からなり、該紙材の表面にラミネートフィルム素材にてコーティングされていて、ベースの紙材が露出するのを防止している。そして、食材が紙材に直接接触するのを防いでいる。
【００５５】
本実施形態の容器本体１の材料を紙材とした場合、開口部４を打ち抜くと開口部４の内縁（内周面）に材料である紙材が露出することになる。通常、紙コップは、その原材料のベースである紙の表面に対してラミネートフィルムでコーティングをして、紙材が露出しないようにして、食材が紙材に直接接触しないようにしている。これは、紙コップの材料である紙が生産される際の工程で塩素系の強力な薬品を使用するためである。
【００５６】
そこで、本実施形態においては、容器本体１の材料を紙材（紙コップ）とした場合では、以下のようにしている。すなわち、図１５に示すように、開口部４の内縁１５に、紙コップの紙の表面にコーティングするのと同等のラミネートフィルム素材を溶融させた状態で塗布するようにしている。図１５に示す内縁１５の斜線部分が軟化・溶融させた樹脂を塗布した塗布面１６である。
【００５７】
このように、本実施形態では容器本体１の材料を紙材とした場合、串５が挿通されて該串５と接触する可能性のある開口部４の内縁１５に樹脂を塗布することで、開口部４の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【００５８】
また、樹脂をコーティングする箇所を開口部４の内縁１５だけでなく、図１６に示すように、容器本体１の表面に至るように開口部４の周縁部分まで樹脂をコーティングするようにしても良い。
かかる場合、開口部４の内縁１５の角部まで確実に樹脂をコーティングすることができ、紙材が露出するのを一層確実に防止することができる。これにより、衛生上、安心、安全性を持たせることができる。
【００５９】
なお、シート１０を樹脂製とした場合には上述のようにラミネートフィルム素材を塗布するのは開口部４の内縁１５だけで良いが、シート１０の素材を紙製とした場合は、シート１０の表裏の面、スリット１１及び穴１２の内縁にラミネートフィルム素材を塗布するようにしている。
これにより、串５がシート１０の材料である紙材に直接接触するのを防止することができ、衛生上、安心、安全性を持たせることができる。
【００６０】
次に、意匠的効果を狙った実施形態について説明する。本実施形態では、図１７に示すように、容器本体１の側面であって開口部４の下方に絵図２１を描き、この絵図２１を貫通するように串の先端部分の串図２２を容器本体１の側面に描いている。図１７では、串図２２には着色していないが、実際に使用する串５の色と同色の色を着色しておく。
【００６１】
図１７に示す容器本体１に、図１８に示すように、串５を先の実施形態と同様に該串５の先端部を容器本体１内に位置するように保持し、且つ串図２２の傾きと同じ傾きで串５を傾斜させることで、一見すると串５がハート型の絵図２１を貫通してように見えて、利用者に面白みやインパクトを与えることができる。
なお、絵図２１の例としてハートを描いているが、どのような絵柄を描いても良いものである。
【００６２】
図１９及び図２０は、スリット１１の横方向の寸法を長くして２本の串５が保持できる場合の実施形態である。
【００６３】
図２１は、容器本体１の上部の周方向に複数の開口部４を形成し、各開口部４にシート１０を貼着した場合である。かかる場合、開口部４の大きさにもよるが、５〜６程度の開口部４を形成し、各開口部４にシート１０を貼着する。
【００６４】
図２２は上下のスリット１１の位置を横方向にずらせた場合であり、図２２（ａ）は上側のスリット１１に対して下側のスリット１１を左方にずらせた場合である。また、図２２（ｂ）は、上側のスリット１１に対して下側のスリット１１を右方にずらせた場合である。
図２１及び図２２に示す場合も先の実施形態と同様の効果を奏するものである。
【００６５】
なお、先の実施形態では、容器本体１に保持するものとして、串５を例にして説明したが、これに限られるものではない。例えば、フォーク、スプーンなどの食器の場合においても本発明を適用することができる。
【符号の説明】
【００６６】
１  容器本体
２  底板
３  筒状部
４  開口部
５  串
１０  シート
１１  スリット
１２  穴
１３  保持片
１５  内縁
１６  塗布面
２１  絵図
２２  串図
【図１】
2013220843.tif 000003
【図２】
2013220843.tif 000004
【図３】
2013220843.tif 000005
【図４】
2013220843.tif 000006
【図５】
2013220843.tif 000007
【図６】
2013220843.tif 000008
【図７】
2013220843.tif 000009
【図８】
2013220843.tif 000010
【図９】
2013220843.tif 000011
【図１０】
2013220843.tif 000012
【図１１】
2013220843.tif 000013
【図１２】
2013220843.tif 000014
【図１３】
2013220843.tif 000015
【図１４】
2013220843.tif 000016
【図１５】
2013220843.tif 000017
【図１６】
2013220843.tif 000018
【図１７】
2013220843.tif 000019
【図１８】
2013220843.tif 000020
【図１９】
2013220843.tif 000021
【図２０】
2013220843.tif 000022
【図２１】
2013220843.tif 000023
【図２２】
2013220843.tif 000024